(57)【要約】【課題】  映像データを表示しているときに映像データ以外のデータの受信時に、データの内容の確認を容易にする。【解決手段】  操作部が第１の操作を受け付けたとき、同時に表示された映像データの表示を中断するＴＶ映像表示制御部２と、操作部が第１の操作を受け付けたとき、少なくとも映像データを表示していた表示領域に、通信部で取得したデータを表示させる表示領域設定部３とを備える。【選択図】  図１
2005217523.tif 000002
【特許請求の範囲】
【請求項１】
他の電子機器との間でデータ通信を行うための通信手段と、
利用者からの操作を受け付ける操作手段と、
少なくとも、前記通信手段で取得したデータ、および、外部から入力された映像データを表示するための表示手段とを備え、
前記映像データと前記通信手段で取得したデータとを前記表示手段に同時に表示可能な電子機器において、
前記操作手段が第１の操作を受け付けたとき、前記同時に表示された映像データの表示を中断する映像データ表示中断手段と、
前記操作手段が前記第１の操作を受け付けたとき、少なくとも前記映像データを表示していた表示領域に、前記通信手段で取得したデータを表示させる表示領域設定手段とを備えていることを特徴とする電子機器。
【請求項２】
他の電子機器との間でデータ通信を行うための通信手段と、
利用者からの操作を受け付ける操作手段と、
少なくとも、前記通信手段で取得したデータ、および、外部から入力された映像データを表示するための表示手段とを備え、
前記映像データと前記通信手段で取得したデータの所定の部分とを前記表示手段に同時に表示可能な電子機器において、
前記映像データと前記所定の部分とを前記表示手段に同時に表示している際に、前記操作手段が所定の操作を受け付けたとき、前記通信手段で取得したデータのうち、前記所定の部分以外の部分を表示する表示制御手段を備えていることを特徴とする電子機器。
【請求項３】
他の電子機器との間でデータ通信を行うための通信手段と、
利用者からの操作を受け付ける操作手段と、
映像データを記憶するための記憶手段と、
前記記憶手段に記憶した映像データを再生するための再生手段と、
少なくとも、前記通信手段で取得したデータ、および、前記再生手段で再生される前記映像データを表示するための表示手段とを備え、
前記映像データと前記通信手段で取得したデータとを前記表示手段に同時に表示可能な電子機器において、
前記操作手段が第１の操作を受け付けたとき、前記同時に表示された映像データの表示を中断する映像データ表示中断手段と、
前記操作手段が前記第１の操作を受け付けたとき、少なくとも前記映像データを表示していた表示領域に、前記通信手段で取得したデータを表示させる表示領域設定手段とを備えていることを特徴とする電子機器。
【請求項４】
他の電子機器との間でデータ通信を行うための通信手段と、
利用者からの操作を受け付ける操作手段と、
映像データを記憶するための記憶手段と、
前記記憶手段に記憶した映像データを再生するための再生手段と、
少なくとも、前記通信手段で取得したデータ、および、前記再生手段で再生される前記映像データを表示するための表示手段とを備え、
前記映像データと前記通信手段で取得したデータの所定の部分とを前記表示手段に同時に表示可能な電子機器において、
前記映像データと前記所定の部分とを前記表示手段に同時に表示している際に、前記操作手段が所定の操作を受け付けたとき、前記通信手段で取得したデータのうち、前記所定の部分以外の部分を表示する表示制御手段を備えていることを特徴とする電子機器。
【請求項５】
前記操作手段が第１の操作を受け付けたとき、前記同時に表示された映像データの表示を中断する映像データ表示中断手段と、
前記操作手段が前記第１の操作を受け付けたとき、少なくとも前記映像データを表示していた表示領域に、前記通信手段で取得したデータを表示させる表示領域設定手段とを備えていることを特徴とする請求項２または４記載の電子機器。
【請求項６】
前記表示領域設定手段は、前記映像データと前記通信手段で取得したデータとを同時に表示させる場合には、前記通信手段で取得したデータを、前記表示手段の一部の表示領域に表示させると共に、前記映像データを、前記一部の表示領域以外の表示領域に表示させることを特徴とする請求項１、３、および５の何れか１項に記載の電子機器。
【請求項７】
前記表示領域設定手段は、前記映像データと前記通信手段で取得したデータとを同時に表示させる場合には、前記通信手段で取得したデータを、前記表示手段の一部の表示領域に表示させると共に、前記映像データを、前記一部の表示領域においては前記通信手段で取得したデータに重ねて表示させることを特徴とする請求項１、３、および５の何れか１項に記載の電子機器。
【請求項８】
前記操作手段が第２の操作を受け付けたとき、前記表示領域における前記通信手段で取得したデータの表示を中止するデータ表示中止手段と、
前記操作手段が第２の操作を受け付けたとき、中断していた映像データの表示を再開する映像データ表示再開手段とを備えていることを特徴とする請求項１、３、５から７の何れか１項に記載の電子機器。
【請求項９】
他の電子機器との間でデータ通信を行うための通信手段と、
前記通信手段で取得したデータ、または、外部から入力された映像データを表示する第１表示手段と、
少なくとも、前記通信手段で取得したデータを表示する第２表示手段とを備えた電子機器において、
前記第１表示手段に前記映像データを表示している際に、前記通信手段によりデータを取得した場合には、前記通信手段で取得したデータを前記第２表示手段に表示させる表示先設定手段を備えていることを特徴とする電子機器。
【請求項１０】
他の電子機器との間でデータ通信を行うための通信手段と、
映像データを記憶するための記憶手段と、
前記記憶手段に記憶した映像データを再生するための再生手段と、
少なくとも、前記通信手段で取得したデータ、または、前記再生手段で再生される前記映像データを表示する第１表示手段と、
少なくとも、前記通信手段で取得したデータを表示する第２表示手段とを備えた電子機器において、
前記第１表示手段に前記映像データを表示している際に、前記通信手段によりデータを取得した場合には、前記通信手段で取得したデータを前記第２表示手段に表示させる表示先設定手段を備えていることを特徴とする電子機器。
【請求項１１】
利用者からの操作を受け付ける操作手段を備え、
前記操作手段が第３の操作を受け付けたとき、前記第１表示手段に前記通信手段で取得したデータを表示させる表示切換手段を備えていることを特徴とすることを特徴とする請求項９または１０記載の電子機器。
【請求項１２】
前記操作手段が第３の操作を受け付けたとき、前記表示切換手段は、さらに、前記第２表示手段に前記映像データを表示させることを特徴とする請求項１１記載の電子機器。
【請求項１３】
前記通信手段で取得したデータは、電子メールデータであることを特徴とする請求項１から１２の何れか１項に記載の電子機器。
【請求項１４】
前記通信手段で取得したデータは、電子メールデータであって、
前記所定の部分は、少なくとも、電子メールデータのタイトル情報を含んでいることを特徴とする請求項２または４記載の電子機器。
【請求項１５】
前記通信手段で取得したデータは、電子メールデータであって、
前記所定の部分は、少なくとも、電子メールデータの送信者情報を含んでいることを特徴とする請求項２または４記載の電子機器。
【請求項１６】
前記通信手段で取得したデータは、電子メールデータであって、
前記所定の部分は、少なくとも、電子メールデータの本文の冒頭部分を含んでいることを特徴とする請求項２または４記載の電子機器。
【請求項１７】
前記通信手段で取得したデータは、マークアップ言語で示されたデータであることを特徴とする請求項１から１２の何れか１項に記載の電子機器。
【発明の詳細な説明】
【技術分野】
【０００１】
本発明は、異なる機能を複合化した電子機器に関し、例えば、電子メール等のデータ受信機能とＴＶ放送等の映像データ受信機能と複合化した電子機器として好適に利用できる電子機器に関する。
【背景技術】
【０００２】
従来より、携帯電話機やＰＤＡ（Personal Digital Assistant）端末等の通信機能を有する電子機器が知られている。これらの電子機器では、通信機能を用いて、他の機器やネットワーク等から様々な情報を取得できるようになってきている。
【０００３】
上記情報としては、ＭＰＥＧ２やＭＰＥＧ４等のファイル形式の映像データと、それ以外のデータ、例えば、テキストデータ、図形データ、ＨＴＭＬまたはＸＭＬフォーマット形式のデータ、ＧＩＦまたはＪＰＥＧ形式の画像データが挙げられる。なお、以下では、上記映像データ以外のデータを、単に「情報データ」と称する。
【０００４】
このような電子機器では、情報データの着信時に、以下の第１から第３の動作モードのうち何れかの動作モードで示される動作を行うようになっている。なお、以下では、説明の便宜上、電子機器として携帯電話機を、上記情報データとして電子メールデータ（以下、電子メールとも称する）を例に挙げて説明する。
【０００５】
（１）第１の動作モード
通話以外の操作を行っている時に電子メールの着信があると、自動的に電子メールを受信し、その後、電子メール受信画面に切り換わるモード（電子メール自動表示設定のモード）。
【０００６】
（２）第２の動作モード
電子メールの着信があった時、携帯電話機自体のメモリに電子メールが保存され、メール着信を示す表示（画面上の一部に表示またはランプ表示）のみが行われるモード。
【０００７】
（３）第３の動作モード
電子メールの着信があった時、携帯電話機自体のメモリに電子メールが保存されず、かつ、メール着信も表示しないモード。具体的には、通話中もしくは電子機器の電源オフの状態と同様な動作を行うモード。
【０００８】
ところで、近年、テレビチューナを内蔵した携帯電話機が開発されている。特に、デジタル地上波のサービスの開始に伴い、携帯電話機でも高画質な画像を楽しめるため、今後、テレビチューナを内蔵した電子機器の普及が見込まれている。そのため、電子機器にて、映像データを受信（取得）する機会が多くなる。さらに、上記電子機器には、映像データを取得して機器内部に記憶可能とすると共に、取得した映像データを再生可能な構成を備えているものも有る。
【０００９】
ここで、テレビ等の映像データを携帯電話機で見ている場合、上記第１から第３の動作モードでは、それぞれ、以下の不都合を生じる。
【００１０】
まず、上記第１の動作モードの場合には、電子メールの着信により、映像データの表示が強制的に中断されてしまう。
【００１１】
また、上記第２の動作モードの場合には、映像データの表示は継続して行われるが、電子メールの内容を確認する際には、使用者は、メール表示の操作を行う必要がある。この場合には、一旦、映像データの表示は中断されることとなる。
【００１２】
さらに、上記第３の動作モードの場合には、映像データの表示は継続して行われるものの、電子メールの着信を確認するためには、使用者が所謂メールセンターに問い合わせを行う必要がある。このため、重要な電子メールや、急を要する電子メールを、即座に確認できない。
【００１３】
そこで、特許文献１には、テレビ放送信号を受信して、ディスプレイ上に画像を表示するテレビ受信機能部と、携帯電話の機能を有し、携帯電話のショートメッセージの受信機能を有する携帯電話機能部と、この携帯電話機能部でショートメッセージが受信されたとき、前記テレビ受信機能部の電源がオンのときには、そのメッセージを前記ディスプレイ上に表示し、前期テレビ受信機能部の電源がオフのときには、そのメッセージをメッセージメモリに記録する制御部とを備えたテレビ受信機が開示されている。
【００１４】
これにより、テレビ放送を視聴ながら、テレビ画面上でショートメッセージを確認可能としている。
【特許文献１】特開２００２−１１２１３９号公報（公開日：平成１４年４月１２日）
【発明の開示】
【発明が解決しようとする課題】
【００１５】
しかしながら、上記特許文献１のテレビ受信機では、メッセージの全文に渡り、ＴＶ映像に重ねてメッセージを表示し、かつ、メッセージが自動的にスクロール表示されるものであるため、以下の問題を生じる。
【００１６】
まず、メッセージの全文に渡って、メッセージがＴＶ映像に重なるため、メッセージの内容を確認しづらい。また、メッセージが自動的にスクロール表示されるため、ある表示箇所を見落としてしまうと、その箇所を再度確認するために、手間や時間を要する。
【００１７】
また、携帯電話機やＰＤＡが備えている表示部（ディスプレイ）の表示領域は、一般的に上記特許文献１のテレビ受信機の表示部の表示領域よりも小さいため、上記特許文献１のテレビ受信機と同様の表示方法では、一度に表示できるメッセージの内容が限られてしまう。そのため、上記表示方法では、メッセージの確認が迅速に行うことができない。
【００１８】
さらに、送られてくるメッセージの中には、所謂迷惑メールと言われるようなメッセージもある。そのようなメッセージについては内容（メール本文）を確認したくなくても、表示されてしまう。
【００１９】
本願発明は、上記問題点を鑑みなされたものであって、その目的は、映像データを表示しているときに映像データ以外のデータ（情報データ）を受信した際、該データの内容の確認を容易にする電子機器を提供することにある。
【課題を解決するための手段】
【００２０】
本発明に係る電子機器は、上記の課題を解決するため、他の電子機器との間でデータ通信を行うための通信手段と、利用者からの操作を受け付ける操作手段と、少なくとも、前記通信手段で取得したデータ、および、外部から入力された映像データを表示するための表示手段とを備え、前記映像データと前記通信手段で取得したデータとを前記表示手段に同時に表示可能な電子機器において、前記操作手段が第１の操作を受け付けたとき、前記同時に表示された映像データの表示を中断する映像データ表示中断手段と、前記操作手段が前記第１の操作を受け付けたとき、少なくとも前記映像データを表示していた表示領域に、前記通信手段で取得したデータを表示させる表示領域設定手段とを備えていることを特徴としている。
【００２１】
ここで、外部から入力された映像データとは、表示手段の外部からの映像データであって、電子機器の外部からの映像データのみならず、電子機器自体が備える手段（例えば、内蔵カメラ）で取得した映像データも含まれる。
【００２２】
上記の構成によれば、前記映像データ表示中断手段によって、前記操作手段が前記第１の操作を受け付けたとき、前記同時に表示された映像データの表示が中断される。つまり、映像データの表示手段への表示が中断される。また、前記表示領域設定手段によって、前記操作手段が前記第１の操作を受け付けたとき、少なくとも前記映像データを表示していた表示領域に、前記通信手段で取得したデータが表示される。
【００２３】
したがって、表示手段に映像データを表示している場合、利用者からの第１の操作により、映像データの表示を中断して、前記通信手段で取得したデータのみを、前記少なくとも映像データを表示していた表示領域に表示することが可能となる。それゆえ、利用者は、前記通信手段で取得したデータの内容を容易に確認することができるという効果を奏する。
【００２４】
本発明に係る電子機器は、上記の課題を解決するため、他の電子機器との間でデータ通信を行うための通信手段と、利用者からの操作を受け付ける操作手段と、少なくとも、前記通信手段で取得したデータ、および、外部から入力された映像データを表示するための表示手段とを備え、前記映像データと前記通信手段で取得したデータの所定の部分とを前記表示手段に同時に表示可能な電子機器において、前記映像データと前記所定の部分とを前記表示手段に同時に表示している際に、前記操作手段が所定の操作を受け付けたとき、前記通信手段で取得したデータのうち、前記所定の部分以外の部分を表示する表示制御手段を備えていることを特徴としている。
【００２５】
ここで、外部から入力された映像データとは、表示手段の外部からの映像データであって、電子機器の外部からの映像データのみならず、電子機器自体が備える手段（例えば、内蔵カメラ）で取得した映像データも含まれる。
【００２６】
上記の構成によれば、表示制御手段により、前記映像データと前記所定の部分とを前記表示手段に同時に表示している際に、前記操作手段が所定の操作を受け付けたとき、前記通信手段で取得したデータのうち、前記所定の部分以外の部分を表示させることができる。
【００２７】
したがって、利用者は、外部からの映像データに基づく映像を視聴しながら通信手段にて取得したデータを確認することができると共に、データの内容の重要度によって必要に応じて所定の部分以外の部分を表示させることができる。また、利用者は、通信手段で取得したデータの内容を確認する速度に併せて、任意にデータを読み進めることができる。
【００２８】
それゆえ、利用者は、必要に応じて、前記通信手段で取得したデータのさらに詳しい内容を容易に確認することができるという効果を奏する。
【００２９】
本発明に係る電子機器は、上記の課題を解決するため、他の電子機器との間でデータ通信を行うための通信手段と、利用者からの操作を受け付ける操作手段と、映像データを記憶するための記憶手段と、前記記憶手段に記憶した映像データを再生するための再生手段と、少なくとも、前記通信手段で取得したデータ、および、前記再生手段で再生される前記映像データを表示するための表示手段とを備え、前記映像データと前記通信手段で取得したデータとを前記表示手段に同時に表示可能な電子機器において、前記操作手段が第１の操作を受け付けたとき、前記同時に表示された映像データの表示を中断する映像データ表示中断手段と、前記操作手段が前記第１の操作を受け付けたとき、少なくとも前記映像データを表示していた表示領域に、前記通信手段で取得したデータを表示させる表示領域設定手段とを備えていることを特徴としている。
【００３０】
上記の構成によれば、一旦、記憶手段により映像データを記憶しておき、再生手段で記憶しておいた映像データを再生することができる。そして、前記表示手段は、前記再生手段により再生される映像データと前記通信手段で取得したデータとを同時に表示する。
【００３１】
また、前記映像データ表示中断手段によって、前記操作手段が前記第１の操作を受け付けたとき、前記同時に表示された映像データの表示が中断される。つまり、映像データの表示手段への表示が中断される。また、前記表示領域設定手段によって、前記操作手段が前記第１の操作を受け付けたとき、少なくとも前記映像データを表示していた表示領域に、前記通信手段で取得したデータが表示される。
【００３２】
したがって、表示手段に映像データを表示している場合、利用者からの第１の操作により、前記再生されている映像データの表示を中断して、前記通信手段で取得したデータのみを、前記少なくとも映像データを表示していた表示領域に表示することが可能となる。それゆえ、利用者は、前記通信手段で取得したデータの内容を容易に確認することができるという効果を奏する。
【００３３】
本発明に係る電子機器は、上記の課題を解決するため、他の電子機器との間でデータ通信を行うための通信手段と、利用者からの操作を受け付ける操作手段と、映像データを記憶するための記憶手段と、前記記憶手段に記憶した映像データを再生するための再生手段と、少なくとも、前記通信手段で取得したデータ、および、前記再生手段で再生される前記映像データを表示するための表示手段とを備え、前記映像データと前記通信手段で取得したデータの所定の部分とを前記表示手段に同時に表示可能な電子機器において、前記映像データと前記所定の部分とを前記表示手段に同時に表示している際に、前記操作手段が所定の操作を受け付けたとき、前記通信手段で取得したデータのうち、前記所定の部分以外の部分を表示する表示制御手段を備えていることを特徴としている。
【００３４】
上記の構成によれば、一旦、記憶手段により映像データを記憶しておき、再生手段で記憶しておいた映像データを再生することができる。そして、前記表示手段は、前記再生手段により再生される映像データと前記通信手段で取得したデータとを同時に表示する。
【００３５】
また、表示制御手段により、前記映像データと前記所定の部分とを前記表示手段に同時に表示している際に、前記操作手段が所定の操作を受け付けたとき、前記通信手段で取得したデータのうち、前記所定の部分以外の部分を表示させることができる。
【００３６】
したがって、利用者は、記憶手段に記憶した映像データに基づく映像を視聴しながら通信手段にて取得したデータを確認することができると共に、データの内容の重要度によって必要に応じて所定の部分以外の部分を表示させることができる。また、利用者は、通信手段で取得したデータの内容を確認する速度に併せて、任意にデータを読み進めることができる。
【００３７】
それゆえ、利用者は、必要に応じて、前記通信手段で取得したデータのさらに詳しい内容を容易に確認することができるという効果を奏する。
【００３８】
また、本発明に係る電子機器は、上記の電子機器において、前記操作手段が第１の操作を受け付けたとき、前記同時に表示された映像データの表示を中断する映像データ表示中断手段と、前記操作手段が前記第１の操作を受け付けたとき、少なくとも前記映像データを表示していた表示領域に、前記通信手段で取得したデータを表示させる表示領域設定手段とを備えていることを特徴としている。
【００３９】
上記の構成によれば、前記映像データ表示中断手段によって、前記操作手段が前記第１の操作を受け付けたとき、前記同時に表示された映像データの表示が中断される。つまり、映像データの表示手段への表示が中断される。また、前記表示領域設定手段によって、前記操作手段が前記第１の操作を受け付けたとき、少なくとも前記映像データを表示していた表示領域に、前記通信手段で取得したデータが表示される。
【００４０】
したがって、表示手段に映像データを表示している場合、利用者からの第１の操作により、映像データの表示を中断して、前記通信手段で取得したデータのみを、前記少なくとも映像データを表示していた表示領域に表示することが可能となる。それゆえ、利用者は、前記通信手段で取得したデータの内容を容易に確認することができるという効果を奏する。
【００４１】
また、本発明に係る電子機器は、上記の電子機器において、前記表示領域設定手段は、前記映像データと前記通信手段で取得したデータとを同時に表示させる場合には、前記通信手段で取得したデータを、前記表示手段の一部の表示領域に表示させると共に、前記映像データを、前記一部の表示領域以外の表示領域に表示させることを特徴としている。
【００４２】
上記構成によれば、上記同時に表示する際には、上記一部の表示領域以外の表示領域（以下、他の表示領域と称する）においては、映像データの表示と、前記通信手段で取得したデータの表示とが重なることがない。
【００４３】
したがって、通信手段でデータを取得した場合であっても、前記他の表示領域においては、映像データの表示を容易に見ることができるという効果を奏する。
【００４４】
また、映像データの表示を中断して、前記通信手段で取得したデータのみを表示する場合には、少なくとも前記映像データを表示していた表示領域（つまり、他の表示領域）にも前記通信手段で取得したデータを表示することができる。したがって、表示領域を大きくとることができ、前記通信手段で取得したデータの表示の確認が容易となるという効果も奏する。
【００４５】
また、本発明に係る電子機器は、上記の電子機器において、前記表示領域設定手段は、前記映像データと前記通信手段で取得したデータとを同時に表示させる場合には、前記通信手段で取得したデータを、前記表示手段の一部の表示領域に表示させると共に、前記映像データを、前記一部の表示領域においては前記通信手段で取得したデータに重ねて表示させることを特徴としている。
【００４６】
上記の構成によれば、上記同時に表示する際には、上記一部の表示領域以外の表示領域（以下、他の表示領域と称する）においては、映像データの表示と、前記通信手段で取得したデータの表示とが重なることがない。
【００４７】
したがって、通信手段でデータを取得した場合であっても、前記他の表示領域においては、映像データの表示を容易に視ることができるという効果を奏する。
【００４８】
また、映像データの表示を中断して、前記通信手段で取得したデータのみを表示する場合には、前記映像データを表示していた表示領域に前記通信手段で取得したデータを表示することができる。したがって、表示領域を大きくとることができ、前記通信手段で取得したデータの表示の確認が容易となるという効果も奏する。
【００４９】
また、本発明に係る電子機器は、上記の電子機器において、前記操作手段が第２の操作を受け付けたとき、前記表示領域における前記通信手段で取得したデータの表示を中止するデータ表示中止手段と、前記操作手段が第２の操作を受け付けたとき、中断していた映像データの表示を再開する映像データ表示再開手段とを備えていることを特徴としている。
【００５０】
上記の構成によれば、前記データ表示中止手段によって、前記操作手段が第２の操作を受け付けたとき、前記表示領域における前記通信手段で取得したデータの表示が中止される。つまり、前記通信手段で取得したデータの表示手段への表示が中止される。また、映像データ表示再開手段によって、前記操作手段が第２の操作を受け付けたとき、中断していた映像データの表示が再開される。
【００５１】
それゆえ、利用者は、前記通信手段で取得したデータのさらに詳しい内容を確認する必要がなければ、表示手段が映像データのみを表示する状態に戻すことができるという効果を奏する。
【００５２】
本発明に係る電子機器は、上記の課題を解決するため、他の電子機器との間でデータ通信を行うための通信手段と、前記通信手段で取得したデータ、または、外部から入力された映像データを表示する第１表示手段と、少なくとも、前記通信手段で取得したデータを表示する第２表示手段とを備えた電子機器において、前記第１表示手段に前記映像データを表示している際に、前記通信手段によりデータを取得した場合には、前記通信手段で取得したデータを前記第２表示手段に表示させる表示先設定手段を備えていることを特徴としている。
【００５３】
上記の構成によれば、表示先設定手段によって、前記第１表示手段に前記映像データを表示している際に、前記通信手段によりデータを取得した場合には、前記通信手段により取得したデータが前記第２表示手段に表示される。
【００５４】
それゆえ、映像データを表示している場合であっても、別の表示手段に前記通信手段により取得したデータを表示することができる。
【００５５】
したがって、映像データを表示したまま、利用者は、前記通信手段で取得したデータの内容を容易に確認することができるという効果を奏する。
【００５６】
本発明に係る電子機器は、上記の課題を解決するため、他の電子機器との間でデータ通信を行うための通信手段と、映像データを記憶するための記憶手段と、前記記憶手段に記憶した映像データを再生するための再生手段と、少なくとも、前記通信手段で取得したデータ、または、前記再生手段で再生される前記映像データを表示する第１表示手段と、少なくとも、前記通信手段で取得したデータを表示する第２表示手段とを備えた電子機器において、前記第１表示手段に前記映像データを表示している際に、前記通信手段によりデータを取得した場合には、前記通信手段で取得したデータを前記第２表示手段に表示させる表示先設定手段を備えていることを特徴としている。
【００５７】
上記の構成によれば、一旦、記憶手段により映像データを記憶しておき、再生手段によって、前記記憶しておいた映像データを再生することができる。そして、前記表示先設定手段は、前記第１表示手段に前記再生される映像データを表示している際に、前記通信手段によりデータを取得した場合には、前記通信手段により取得したデータを前記第２表示手段に表示させる。
【００５８】
それゆえ、再生手段により再生される映像データを表示している場合であっても、別の表示手段に前記通信手段により取得したデータを表示することができる。
【００５９】
したがって、前記再生される映像データを表示したまま、利用者は、前記通信手段で取得したデータの内容を容易に確認することができるという効果を奏する。
【００６０】
また、本発明に係る電子機器は、上記の電子機器において、利用者からの操作を受け付ける操作手段を備え、前記操作手段が第３の操作を受け付けたとき、前記第１表示手段に前記通信手段で取得したデータを表示させる表示切換手段を備えていることを特徴としている。
【００６１】
上記の構成によれば、表示切換手段により、前記操作手段が第３の操作を受け付けたとき、第２表示手段に表示していた前記通信手段で取得したデータを、第１表示手段に表示させることができる。
【００６２】
したがって、利用者が所望する場合には、前記通信手段で取得したデータの表示先を、第１表示手段に変更することが可能となるという効果を奏する。
【００６３】
また、本発明に係る電子機器は、上記の電子機器において、前記操作手段が第３の操作を受け付けたとき、前記表示切換手段は、さらに、前記第２表示手段に前記映像データを表示させることを特徴としている。
【００６４】
上記の構成によれば、表示切換手段により、前記操作手段が第３の操作を受け付けたとき、第１表示手段に表示していた映像データを、第２表示手段に表示させることができる。
【００６５】
それゆえ、映像データと、前記通信手段により取得したデータとの表示先を交換することができる。
【００６６】
したがって、利用者は、視認性に優れた方の表示手段で、所望とするデータを確認することが可能となるという効果を奏する。
【００６７】
また、本発明に係る電子機器は、上記の電子機器において、前記通信手段で取得したデータは、電子メールデータであることを特徴としている。
【００６８】
したがって、利用者は、前記通信手段で取得した電子メールデータの内容を容易に確認することができる。
【００６９】
また、本発明に係る電子機器は、上記の電子機器において、前記通信手段で取得したデータは、電子メールデータであって、前記所定の部分は、少なくとも、電子メールデータのタイトル情報を含んでいることを特徴としている。
【００７０】
上記構成によれば、前記所定の部分は、少なくとも、電子メールデータのタイトル情報を含んでいるため、利用者は、タイトル情報を基に、前記通信手段で取得したデータを少なくとも前記映像データを表示していた表示領域に表示させるか否かを判断できる。
【００７１】
したがって、映像データの表示を中断して、利用者が所望しないデータを表示しなくても済むという効果を奏する。
【００７２】
また、本発明に係る電子機器は、上記の電子機器において、前記通信手段で取得したデータは、電子メールデータであって、前記所定の部分は、少なくとも、電子メールデータの送信者情報を含んでいることを特徴としている。
【００７３】
上記の構成によれば、前記所定の部分は、少なくとも、電子メールデータの送信者情報を含んでいるため、利用者は、送信者情報を基に、前記通信手段で取得したデータを少なくとも前記映像データを表示していた表示領域に表示させるか否かを判断できる。
【００７４】
したがって、映像データの表示を中断して、利用者が所望しないデータを表示しなくても済むという効果を奏する。
【００７５】
また、本発明に係る電子機器は、上記の電子機器において、前記通信手段で取得したデータは、電子メールデータであって、前記所定の部分は、少なくとも、電子メールデータの本文の冒頭部分を含んでいることを特徴としている。
【００７６】
上記の構成によれば、前記所定の部分は、少なくとも、電子メールデータの本文の冒頭部分を含んでいるため、利用者は、本文の冒頭部分を基に、前記通信手段で取得したデータを少なくとも前記映像データを表示していた表示領域に表示させるか否かを判断できる。
【００７７】
したがって、映像データの表示を中断して、利用者が所望しないデータを表示しなくても済むという効果を奏する。
【００７８】
また、本発明に係る電子機器は、上記の電子機器において、前記通信手段で取得したデータは、マークアップ言語で示されたデータであることを特徴としている。
【００７９】
したがって、利用者は、前記通信手段で取得したマークアップ言語で示されたデータの内容を容易に確認することができる。
【発明の効果】
【００８０】
本発明に係る電子機器は、以上のように、操作手段が第１の操作を受け付けたとき、同時に表示された映像データの表示を中断する映像データ表示中断手段と、第１の操作により、少なくとも映像データを表示していた表示領域に、通信手段で取得したデータを表示する表示領域設定手段とを備えているので、利用者が、前記通信手段で取得したデータの内容を容易に確認することができるという効果を奏する。
【００８１】
また、本発明に係る電子機器は、以上のように、映像データと通信手段で取得したデータの所定の部分とを前記表示手段に同時に表示している際に、操作手段が所定の操作を受け付けたとき、通信手段で取得したデータのうち、所定の部分以外の部分を表示する表示制御手段を備えているので、利用者は、必要に応じて、通信手段で取得したデータのさらに詳しい内容を容易に確認することができるという効果を奏する。
【００８２】
また、本発明に係る電子機器は、以上のように、操作手段が第１の操作を受け付けたとき、同時に表示された映像データの表示を中断する映像データ表示中断手段と、操作手段が第１の操作を受け付けたとき、少なくとも前記映像データを表示していた表示領域に、通信手段で取得したデータを表示させる表示領域設定手段とを備えているので、利用者は、通信手段で取得したデータの内容を容易に確認することができるという効果を奏する。
【００８３】
また、本発明に係る電子機器は、以上のように、映像データと通信手段で取得したデータの所定の部分とを表示手段に同時に表示している際に、操作手段が所定の操作を受け付けたとき、通信手段で取得したデータのうち、所定の部分以外の部分を表示する表示制御手段を備えているので、利用者は、必要に応じて、通信手段で取得したデータのさらに詳しい内容を容易に確認することができるという効果を奏する。
【００８４】
また、本発明に係る電子機器は、以上のように、第１表示手段に映像データを表示している際に、通信手段によりデータを取得した場合には、通信手段により取得したデータを第２表示手段に表示させる表示先設定手段を備えているので、映像データを表示したまま、利用者が、通信手段で取得したデータの内容を容易に確認することができるという効果を奏する。
【００８５】
また、本発明に係る電子機器は、以上のように、前記第１表示手段に再生手段で再生される映像データを表示している際に、通信手段によりデータを取得した場合には、通信手段で取得したデータを第２表示手段に表示させる表示先設定手段を備えているので、再生される映像データを表示したまま、利用者は、前記通信手段で取得したデータの内容を容易に確認することができるという効果を奏する。
【発明を実施するための最良の形態】
【００８６】
〔実施の形態１〕
本発明の一実施形態について図１ないし図１０に基づいて説明すると以下のとおりである。
【００８７】
なお、本実施の形態では、電子機器として、ＴＶ機能、通信機能、ビデオ録画／再生機能の３つの機能を複合化させた携帯端末装置について説明する。また、本実施の形態では、上記映像データとして地上デジタルＴＶ放送の映像データを、映像データ以外の上記情報データとして電子メールデータ（以下ではメールデータとも称する）を例に挙げて説明する。なお、これらは、後述する実施の形態２でも同様である。
【００８８】
図２は、本実施の形態に係る携帯端末装置のハードウェアによって実現される機能ブロック図である。
【００８９】
上記携帯端末装置は、図２に示すように、主制御手段としてのＣＰＵ（central processing unit ）１１と、このＣＰＵ１１によって制御される無線通信部１２、チューナ１３、ＯＦＤＭ(Orthogonal Frequency Division Multiplexing、直交周波数分割多重)復調部１４、テレビ受信状態検知部１５、デコーダ１６、記憶部（記憶手段）１７、ＲＡＭ（random access memory）１８、ＲＯＭ（read only memory）１９、操作部（操作手段）２０、画像処理部２１、カメラ制御部２２、および、音声処理部２３を備えている。
【００９０】
また、上記無線通信部１２には通信用アンテナ部２４が接続され、上記チューナ１３にはＴＶ用アンテナ部２５が接続され、上記画像処理部２１には表示制御部２６が接続され、上記カメラ制御部２２にはカメラ部２７が接続され、上記音声処理部２３にはスピーカ部２８、イヤホン端子２９、送話マイク３０、マイク端子３１が接続されている。さらに、上記表示制御部２６には、表示部３２が接続されている。
【００９１】
上記チューナ１３は、地上デジタルＴＶ放送を受信するためのチューナであり、ＴＶ用アンテナ部２５から放送信号を受信するようになっている。このチューナ１３は、放送信号を示すデジタル変調信号をＯＦＤＭ復調部１４に出力する一方、受信電力値をテレビ受信状態検知部１５に出力するようになっている。
【００９２】
上記ＯＦＤＭ復調部１４は、上記チューナ１３によって受信された放送信号等のデジタル変調信号を復調する復調回路である。
【００９３】
上記デコーダ１６は、ＯＦＤＭ復調部１４から送られた復調信号から、映像信号と音声信号とに復元するようになっており、映像信号を画像処理部２１に出力する一方、音声信号を音声処理部２３に出力するようになっている。
【００９４】
上記画像処理部２１は、入力された映像信号に対して所定の処理を施し、表示制御部２６を介して表示部３２に出力し、映像を表示させる。ここで、表示制御部２６は、入力された映像信号に応じた表示が行えるように表示部３２の表示を制御する。
【００９５】
一方、上記音声処理部２３では、デコーダ１６からの音声信号をスピーカ部２８あるいはイヤホン端子２９にて再生する。
【００９６】
上記音声処理部２３には、送話マイク３０、マイク端子３１が接続されているが、これらを用いてユーザの音声を入力すれば、該音声処理部２３により音声信号に変換され、無線通信部１２を介して通信用アンテナ部２４から送信される。また、音声処理部２３により変換された音声信号は、記憶部１７に記憶されてもよい。同様に、デコーダ１６にて復元された映像信号及び音声信号は、上記記憶部１７に記憶されてもよい。
【００９７】
上記記憶部１７は、ＲＡＭやＨＤ（ハードディスク）のような内蔵型の記憶媒体であってもよく、また、ＳＤメモリーカード、スマートメディア（登録商標）のような着脱可能な記憶媒体でもよく、または、これらを複数備えていてもかまわない。
【００９８】
この記憶部１７には、図２に示すカメラ部２７にて撮像された映像も映像信号として記憶される。ここで、カメラ部２７にて撮像された映像は、カメラ制御部２２を介して画像処理部２１に入力される。この画像処理部２１では、カメラ部２７で撮影された映像（静止画または動画）に対して記憶用の映像信号となるように画像処理を施す。
【００９９】
なお、上記画像処理部２１では、カメラ部２７で撮像された映像に対して、表示部３２に表示させる場合には、表示用の映像信号となるように画像処理を施す。
【０１００】
上記構成の携帯端末装置は、上述したように、ＴＶ機能、通信機能、ビデオ録画／再生機能を有し、それぞれの機能が実行される際に、ユーザが各種操作を行えるように操作部２０が設けられている。
【０１０１】
つまり、ＴＶ機能を実行する場合には、操作部２０を操作して放送チャンネルや音量等の調整を行い、通信機能として電話機能を実行する場合には、操作部２０を操作して電話番号を入力するようにし、通信機能としてメール送受信機能を実行する場合には、操作部２０を操作してメールを作成するようにし、ビデオ録画／再生機能を実行する場合には、操作部２０を操作して録画開始／停止あるいは早送り／巻き戻し等を行うようにすればよい。
【０１０２】
携帯端末装置における各機能を実行する際のアプリケーションプログムは、ＲＯＭ１９に記憶されている。なお、ＲＯＭ１９に格納されたアプリケーションプログラムを実行する場合には、一旦ＲＯＭ１９から読み出してＲＡＭ１８に一時記憶させるようになっている。
【０１０３】
つまり、上記ＲＡＭ１８は、オペレーションシステム、アプリケーションプログラム等を動作させるための動作エリアを確保するための一時記憶手段である。一方、ＲＯＭ１９は、オペレーションシステム、基本的なアプリケーションプログラム等、基本的なプログラムを記憶する記憶手段である。
【０１０４】
なお、上記無線通信部１２および通信用アンテナ部２４が、特許請求の範囲に記載の通信手段に該当する。また、表示部３２が、特許請求の範囲に記載の表示手段に該当する。さらに、デコーダ１６、画像処理部２１、および、音声処理部２３が、特許請求の範囲に記載の再生手段に該当する。
【０１０５】
ここで、上記構成の携帯端末装置で実行できる３つの機能（通信機能、ＴＶ機能、ビデオ録画／再生機能）について図２を参照しながら以下に説明する。なお、上記の各機能については、一般的な機能であるので、ここでは簡単に説明する。
【０１０６】
（１）通信機能
通信信号（電話信号、メール信号（メールデータ））の受信時には、通信用アンテナ部２４から受信された通信信号（電話信号、メール信号等）が無線通信部１２を介して、画像処理部２１及び音声処理部２３に送られる。画像処理部２１では、通信信号を受信したことを知らせる着信情報を、表示制御部２６を通じて表示部３２に表示させる。一方、音声処理部２３では、通信信号を受信したことを知らせる着信音をスピーカ部２８で再生させる。
【０１０７】
一方、通信信号の送信時には、該通信信号が電話信号の場合、音声処理部２３によって、送話マイク３０、マイク端子３１から入力された音声をデジタル化して無線通信部１２へ伝達し、さらに通信用アンテナ部２４を介して通信相手先へ送信する。一方、通信信号がメール信号の場合、画像処理部２１によって、操作部２０から入力されされた文字データをデジタル化して無線通信部１２へ伝達し、さらに通信用アンテナ部２４を介して通信相手先へ送信する。
【０１０８】
（２）ＴＶ機能
ＴＶ用アンテナ部２５を介してチューナ１３によって受信された放送信号は、ＯＦＤＭ復調部１４を介してデコーダ１６に送られ、音声信号と映像信号（映像データ）とに復元される。音声信号は音声処理部２３を介してスピーカ部２８またはイヤホン端子２９で再生され、映像信号は画像処理部２１、表示制御部２６を介して表示部３２に表示される。なお、本実施の形態では、上述したとおり、テレビ放送信号がデジタル化された地上デジタルＴＶ放送について説明する。
【０１０９】
（３）ビデオ録画／再生機能
ビデオ録画時には、ＴＶ用アンテナ部２５、チューナ１３、ＯＦＤＭ復調部１４を介して受信され、もしくは、通信用アンテナ部２４、無線通信部１２を介してインターネット等よりダウンロードされたビデオ（ＴＶ）データが、記憶部１７に記憶される。記憶されるビデオデータのファイル形式としては、例えばＭＰＥＧ２、ＭＰＥＧ４等があるが、他のファイル形式であってもよい。
【０１１０】
ビデオ再生時には、ユーザが、操作部２０を介し、記憶部１７に記憶されたビデオデータの再生を指示した場合、ＣＰＵ１１は、指定されたビデオデータを呼び出す。呼び出されたビデオデータは、デコーダ１６により音声信号と映像信号に復元して、音声処理部２３、画像処理部２１にそれぞれ入力され、スピーカ部２８またはイヤホン端子２９で音声が再生され、表示部３２で映像が再生される。
【０１１１】
上記のように３つの機能を実現できる携帯端末装置としては、例えば、図３に示すように、カメラ撮影機能及びＴＶ受信機能を備えた携帯電話機１が考えられる。図３は、携帯電話機１を正面側（操作側）から見た図を示している。なお、以下の説明においては、携帯端末装置（電子機器）として、携帯電話機を例に挙げて説明する。
【０１１２】
携帯電話機１は、図３に示すように、通信用アンテナ部２４およびＴＶ用アンテナ部２５を備えている。また、上記携帯電話機１には、表示部３２、イヤホン端子２９、操作部２０、送話マイク３０、および、上記スピーカ部２８として通話用スピーカ部２８ａとＴＶ用スピーカ部２８ｂとを備えている。また、図示していないが、携帯電話機１の背面には、カメラ部２７が備えられている。
【０１１３】
次に、上記携帯電話機１でのデータ受信処理について、図１、図４〜図８に基づいて説明する。
【０１１４】
図１は、携帯電話機１における制御を主体とした機能ブロック図である。
【０１１５】
上記携帯電話機１は、ＴＶ映像表示制御部（映像データ表示中断手段・映像データ表示再開手段）２、表示領域設定部（表示領域設定手段）３、メール送受信制御部（データ表示中止手段）４、メモリ５、メール表示制御部（表示制御手段）６、表示データ切換制御部７、および、表示画面８を備えている。また、表示領域設定部３は、ＴＶ映像表示領域設定部３ａとメール表示領域設定部３ｂとから構成されている。さらに、表示画面８は、第１表示領域８ａと第２表示領域８ｂとから構成されている。
【０１１６】
なお、表示画面８は、図２に示した表示部３２の表示画面である。また、メモリ５は、ＲＡＭ１８であってもよいし、他の記憶装置であってもよい。
【０１１７】
以下では、ＴＶ映像データ（ストリームデータ）のみを受信している場合（以下、第１の場合と称する）、メールデータのみを受信している場合であって、電子メール自動表示設定のモードの場合（以下、第２の場合と称する）、ＴＶ映像データを受信している際に、電子メール自動表示設定のモードで電子メールデータ受信した場合（以下、第３の場合と称する）、第３の場合の後、ＴＶ映像データの表示画面８への表示を中断して、電子メールのみを表示画面８に表示させる場合（以下、第４の場合と称する）に分けて、上記各場合に関連する機能ブロックの機能の説明を行う。
【０１１８】
まず、上記第１の場合について説明をする。
【０１１９】
上記ＴＶ映像表示制御部２は、上記ＣＰＵ１１の制御の下、上述したように、ＴＶ用アンテナ部２５、チューナ１３、ＯＦＤＭ復調部１４、デコーダ１６、および、画像処理部２１を介して、ＴＶ映像データを受信する。そして、ＴＶ映像表示制御部２は、この受信したＴＶ映像データをＴＶ映像表示領域設定部３ａに送信する。
【０１２０】
上記ＴＶ映像表示領域設定部３ａは、ＴＶ映像表示制御部２から受信したＴＶ映像データを、図４に示すとおり、表示画面８全体（つまり、第１表示領域８ａおよび第２表示領域８ｂ）に表示する。
【０１２１】
また、このようにＴＶ映像データを受信している間は、ＴＶ映像表示制御部２が、メール表示制御部６に対して、ＴＶ映像データを受信中であることを通知する。なお、通知の方法に対しては、例えば、ＴＶ映像データの受信中、常に信号を送り続ける構成でもよいし、あるいは、受信開始信号と受信終了信号とを送る構成でもよい。
【０１２２】
次に、上記第２の場合について説明する。
【０１２３】
上記メール送受信制御部４は、上記ＣＰＵ１１が、ＲＡＭ１８やＲＯＭ１９に格納されたプログラムを実行して、通信用アンテナ部２４、無線通信部１２、および、画像処理部２１を制御することによって実現される機能ブロックである。
【０１２４】
このメール送受信制御部４は、携帯電話機１がメールを受信すると、通信用アンテナ部２４、無線通信部１２、および、画像処理部２１を介して、メールデータを受信する。そして、メール送受信制御部４は、メモリ５に受信したメールデータを記憶させる。さらに、メール送受信制御部４は、メール表示制御部６に対して、メールデータを受信したというメール受信情報を通知する。
【０１２５】
上記メール表示制御部６は、メール送受信制御部４から上記メール受信情報の通知があった場合、メール表示領域設定部３ｂに対して、表示領域を表示画面８全体とするように指示を送る。また、メール表示制御部６は、メモリ５に記憶されたメールデータを読み出し、この読み出したメールデータをメール表示領域設定部３ｂに送信する。
【０１２６】
上記メール表示領域設定部３ｂは、メール表示制御部６から送信されたメールデータを、表示画面８全体に表示する。以上により、図５に示すとおり、メールデータが、表示画面８全体に表示されることとなる。
【０１２７】
次に、上記第３の場合について説明する。
【０１２８】
なお、この場合には、前提として、メールデータを受信するまでは、上記第１の場合に説明したように、ＴＶ映像データが表示画面８全体に表示されている。
【０１２９】
ここで、上記携帯電話機１がメールを受信すると、上記第２の場合と同様、メール送受信制御部４は、通信用アンテナ部２４、無線通信部１２、および、画像処理部２１を介して、メールデータを受信する。そして、メール送受信制御部４は、メモリ５に受信したメールデータを記憶させる。さらに、メール送受信制御部４は、メール表示制御部６に対して、メールデータを受信したというメール受信情報を通知する。
【０１３０】
上記メール表示制御部６は、メール送受信制御部４から上記メール受信情報の通知があった場合であって、かつ、ＴＶ映像表示制御部２からＴＶ映像データを受信中との通知を受信している場合には、ＴＶ映像表示領域設定部３ａに対して、ＴＶ映像データの表示領域を表示画面８全体（つまり、第１表示領域８ａおよび第２表示領域８ｂ）から第１表示領域８ａに変更するように指示（以下、第１の指示と称する）を出す。また、上記メール表示制御部６は、上記の場合、メール表示領域設定部３ｂに対して、メールデータの表示領域を第２表示領域８ｂに設定するように指示（以下、第２の指示と称する）を出す。
【０１３１】
上記ＴＶ映像表示領域設定部３ａは、上記第１の指示を受けた後、ＴＶ映像データの表示領域を第１表示領域８ａに設定（変更）する。また、上記メール表示領域設定部３ｂは、第２の指示を受けた後、メールデータの表示領域を第２表示領域８ｂに設定する。
【０１３２】
そして、メール表示制御部６は、メモリ５に記憶されたメールデータを読み出し、この読み出したメールデータをメール表示領域設定部３ｂに送信する。ここで、メール表示制御部６が読み出すメールデータは、少なくともメールデータの所定の箇所（例えば題名（Ｓｕｂｊｅｃｔ）を含んだ部分）であって、第２表示領域８ｂで表示可能な部分である。
【０１３３】
その後、上記メール表示領域設定部３ｂは、メール表示制御部６から送信されたメールデータを、第２表示領域８ｂに表示させる。
【０１３４】
以上により、図６に示すとおり、第１表示領域８ａにＴＶ映像データが、第２表示領域８ｂにメールデータの一部が表示される。
【０１３５】
また、表示データ切換制御部７は、操作部２０からの指令を受け付ける。ここで、操作部２０から、第２表示領域８ｂに表示されているメールの項目の切換えに関する入力があった場合には、表示データ切換制御部７は、メール表示制御部６に対して、上記の切換え指示（第３の指示）を送信する。なお、表示されている項目の切換としては、例えば「題名（タイトル）」から、「送信者（Ｆｒｏｍフィールド）」、「送信日時」、あるいは「本文」への切換が挙げられる。
【０１３６】
上記メール表示制御部６は、上記第３の指示を受けると、メモリ５から、第３の指示に応じた項目であって第２表示領域８ｂに表示可能な部分のメールデータを読み出す。そして、メール表示制御部６は、上記読み出したメールデータを、メール表示領域設定部３ｂに送信する。メール表示領域設定部３ｂは、このメールデータを第２表示領域８ｂに表示する。
【０１３７】
以上により、第２表示領域８ｂに表示する項目を切換えることができる。
【０１３８】
なお、第２表示領域８ｂに全文が収まらない項目（例えば「本文」の項目）等は、まず、冒頭を含む部分を表示する。その後、操作部２０からの指示で、以降の部分を表示する。
【０１３９】
図７は、上記第２表示領域８ｂに表示される表示内容（項目）の状態の遷移を示した状態遷移図である。具体的には、同図は、操作部２０における表示項目の切換え操作例、および、この切換え操作によって第２表示領域８ｂに示される表示項目等を示す。
【０１４０】
まず、同図に示すとおり、上記第２表示領域８ｂには、例えば「送信者：山田花子」というように送信者が表示される。ここで、ユーザが操作部２０の「→」というキーを例えば押し下げることにより、第２表示領域８ｂには「yamada.hanako@docoxx.ne.jp」といった送信者メールアドレスが表示される。また、ユーザが操作部２０の「↓」というキーを押し下げることにより、第２表示領域８ｂには「20yy.mm.dd hh:tt」という送信日時の項目が表示される。
【０１４１】
さらに、送信日時が表示された状態で、ユーザが操作部２０の「↓」キーを押し下げることにより、第２表示領域８ｂには「題名：同窓会の開催時間変更ありま」という題名の一部が表示される。この状態で、さらに「→」キーが押し下げられると、第２表示領域８ｂでは表示されなかった題名の残りの部分、「す！！」が表示される。
【０１４２】
また、「題名：同窓会の開催時間変更あります」が表示された状態で、「↓」キーが押し下げられると、第２表示領域８ｂには「本文：同窓会の開催時刻が１時間遅」という本文の一部が表示される。この状態で、さらに「→」キーが押し下げられると、第２表示領域８ｂでは表示されなかった本文における残りの一部分、「れることになりました。ＸＸ小学校６」が表示される。この状態で、さらに「→」キーが押し下げられると、上記では表示されなかった本文における他の残りの一部分、「年同窓会の開催時刻が下記のように」が表示される。
【０１４３】
このように、ユーザが操作部２０を用いることによって、第２表示領域８ｂに表示させるメールデータの項目を変更することができる。
【０１４４】
次に、従来と異なる上記第４の場合について説明する。
【０１４５】
まず、ユーザが操作部２０から、ＴＶ映像データの表示画面８への表示を中断して、電子メールのみを表示画面８に表示させる指示（第４の指示）を入力する。
【０１４６】
この第４の指示は、表示データ切換制御部７に送信される。上記第４の指示を受信した表示データ切換制御部７は、まず、ＴＶ映像表示制御部２に対して、ＴＶ映像表示領域設定部３ａへの映像データの送信を中断するように指示（第５の指示）を出す。さらに、表示データ切換制御部７は、メール表示制御部６に対して、メールデータを表示画面８全体に表示するように指示（第６の指示）を出す。
【０１４７】
ＴＶ映像表示制御部２は、上記第５の指示を受けると、ＴＶ映像表示領域設定部３ａへの映像データの送信を中断すると共に、ＴＶ映像表示領域設定部３ａに対して、ＴＶ映像データ用の表示領域を設けないように指示（第７の指示）を出す。そして、ＴＶ映像表示領域設定部３ａは、上記第７の指示を受けると、ＴＶ映像データ用の表示領域を設けない設定とする。
【０１４８】
メール表示制御部６は、上記第６の指示を受けると、まず、メール表示領域設定部３ｂに対して、メールデータの表示領域を第２表示領域８ｂから表示画面８全体に変更するよう指示（第８の指示）を出す。そして、メール表示領域設定部３ｂは、上記第８の指示を受けると、メールデータの表示領域を表示画面８全体に設定（変更）する。
【０１４９】
また、メール表示制御部６は、上記第６の指示を受けると、メモリ５からメールデータを読み出す。ここで、メール表示制御部６が読み出すメールデータは、表示画面８（第１表示領域および第２表示領域８ｂ）に一度に表示可能な部分である。例えば、送信者、送信日時、題名、本文全体または本文の一部のデータが送信される。
【０１５０】
そして、メール表示制御部６は、上記メモリ５から読み出したメールデータを、メール表示領域設定部３ｂに送信する。その後、メール表示領域設定部３ｂは、メール表示制御部６から受信したメールデータを、表示画面８全体に表示させる。
【０１５１】
以上の結果、表示画面８では、図５に示すようなメールデータのみが表示されることとなる。
【０１５２】
このように、上記携帯電話機１は、他の電子機器との間でデータ通信を行うための無線通信部１２および通信用アンテナ部２４（通信手段）と、利用者からの操作を受け付ける操作部（操作手段）２０と、少なくとも、上記無線通信部１２および通信用アンテナ部２４（通信手段）で取得したデータ、および、外部から入力された映像データを表示するための表示部３２（表示手段）とを備え、上記映像データと上記無線通信部１２および通信用アンテナ部２４（通信手段）で取得したデータとを上記表示部３２（表示手段）に同時に表示可能な携帯電話機（電子機器）において、上記操作部（操作手段）２０が上記第１の操作を受け付けたとき、上記同時に表示された映像データの表示を中断するＴＶ映像表示制御部（映像データ表示中断手段）２と、上記操作部（操作手段）２０が上記第１の操作を受け付けたとき、少なくとも上記映像データを表示していた表示領域に、上記無線通信部１２および通信用アンテナ部２４（通信手段）で取得したデータを表示させる表示領域設定部（表示領域設定手段）３とを備えている構成である。
【０１５３】
上記の構成によれば、ＴＶ映像表示制御部２によって、操作部２０が前記第１の操作を受け付けたとき、上記同時に表示された映像データの表示が中断される。つまり、映像データの表示部３２への表示が中断される。また、表示領域設定部３によって、操作部２０が前記第１の操作を受け付けたとき、少なくとも映像データを表示していた表示領域に、上記無線通信部１２および通信用アンテナ部２４（以下では通信部とも称する）で取得したデータが表示される。
【０１５４】
したがって、表示部３２に映像データを表示している場合、利用者からの第１の操作により、映像データの表示を中断して、上記通信部で取得したデータのみを、少なくとも映像データを表示していた表示領域に表示することが可能となる。それゆえ、利用者は、上記通信部で取得したデータの内容を容易に確認することができる。
【０１５５】
また、上記表示領域設定部３は、上記映像データと通信部で取得したデータとを同時に表示させる場合には、上記通信部で取得したデータを、表示部３２の一部の表示領域に表示されると共に、上記映像データを、上記一部の表示領域以外の表示領域に表示させることが好ましい。
【０１５６】
これによれば、上記同時に表示する際には、上記一部の表示領域以外の表示領域（以下、他の表示領域と称する）においては、映像データの表示と、上記通信部で取得したデータの表示とが重なることがない。
【０１５７】
したがって、上記通信部でデータを取得した場合であっても、上記他の表示領域においては、映像データの表示を容易に視ることができる。
【０１５８】
また、映像データの表示を中断して、上記通信部で取得したデータのみを表示する場合には、少なくとも前記映像データを表示していた表示領域（つまり、他の表示領域）にも上記通信部で取得したデータを表示することができる。したがって、表示領域を大きくとることができ、上記通信部で取得したデータの表示の確認が容易となる。
【０１５９】
図８は、上記携帯電話機１におけるデータ処理のフローを示したフローチャートである。より具体的には、上記第３の場合および第４の場合の処理を示したフローチャートである。以下、このフローチャートに示した処理について説明する。
【０１６０】
まず、携帯電話機１は、ＴＶ映像データを、ＴＶ用アンテナ部２５を介して受信する（Ｓ１）。その後、上述したように、ＴＶ映像データに基づくＴＶ映像が、表示部３２の表示画面８全体に表示される（Ｓ２）。具体的には、ＴＶ映像表示制御部２を介してＴＶ映像データを受信したＴＶ映像表示領域設定部３ａが、上記ＴＶ映像データに基づくＴＶ映像を表示画面８全体に表示する。
【０１６１】
Ｓ２の後は、メール表示制御部６により、メールデータを受信したか否かが判断される（Ｓ３）。Ｓ３においてメールを受信していないと判断された場合には、Ｓ２に戻り、表示画面８全体においてＴＶ映像の表示が継続される。一方、Ｓ３においてメールを受信したと判断された場合には、メール表示制御部６からの指示によりＴＶ映像表示領域設定部３ａが、第１表示領域８ａにＴＶ映像を表示すると共に、メール表示制御部６からの指示によりメール表示領域設定部３ｂが、第２表示領域８ｂにメールを表示する（Ｓ４）。
【０１６２】
Ｓ４の後は、表示データ切換制御部７により、第１の画面切換操作がなされたか否かが判断される（Ｓ５）。ここで、第１の画面切換操作（第１の操作）とは、ＴＶ映像表示を中断して、メールを表示画面８全体に表示させるための操作を指している。なお、この第１の画面切換操作は、ユーザが操作部２０に対して行う操作である。
【０１６３】
そして、Ｓ５において上記第１の画面切換操作がなされていない場合には、Ｓ４に戻り、第１表示領域８ａにＴＶ映像を表示すると共に、第２表示領域８ｂにメールを表示したままの状態を継続する。一方、Ｓ５において上記第１の画面切換操作がなされた場合には、表示データ切換制御部７からの指示に基づき、表示領域設定部３が表示画面８全体にメールを表示する（Ｓ６）。
【０１６４】
Ｓ６の後は、表示データ切換制御部７により、第２の画面切換操作がなされたか否かが判断される（Ｓ７）。ここで、第２の画面切換操作（第２の操作）とは、メールの表示画面８における全体表示を中断して、再び、ＴＶ映像を表示画面８全体に表示させるための操作を指している。なお、この第２の画面切換操作は、ユーザが操作部２０に対して行う操作である。
【０１６５】
そして、Ｓ７において上記第２の画面切換操作がなされていない場合には、Ｓ６に戻り、表示画面８全体におけるメールの表示を継続する。一方、Ｓ７において上記第２の画面切換操作がなされた場合には、表示データ切換制御部７からの指示に基づき、表示領域設定部３が表示画面８全体にＴＶ映像を表示する（Ｓ８）。
【０１６６】
Ｓ８の後は、ＴＶ映像表示制御部２により、ＴＶ映像データの受信が終了したか否かが判断される（Ｓ９）。Ｓ９においてＴＶ映像データの受信が終了していない場合、Ｓ８に戻り、表示画面８全体におけるＴＶ映像の表示を継続する。一方、Ｓ９においてＴＶ映像データの受信が終了したと判断された場合には、ＴＶ映像表示の処理を終了する。
【０１６７】
ところで、上記実施の形態では、ＴＶ映像データとメールデータとを同時に表示する場合には、図６にも示したように、ＴＶ映像データを表示する表示領域を第１表示領域８ａに設定した。
【０１６８】
しかしながら、これに限定されず、図９に示すように、メールデータを第２表示領域８ｂに表示すると共に、ＴＶ映像データを第１表示領域８ａおよび第２表示領域８ｂに表示する構成としてもよい。つまり、第２表示領域８ｂにおいては、ＴＶ映像データとメールデータとを重ねて表示してもよい。
【０１６９】
つまり、表示領域設定部が、上記映像データと上記通信部（通信手段）で取得したデータとを同時に表示させる場合には、上記通信部で取得したデータを、上記表示部（表示手段）３２の一部の表示領域に表示させると共に、上記映像データを、上記一部の表示領域においては上記通信部で取得したデータに重ねて全表示領域に表示させてもよい。
【０１７０】
この場合には、上記同時に表示する際には、上記一部の表示領域以外の表示領域（以下、他の表示領域と称する）においては、映像データの表示と、上記通信部で取得したデータの表示とが重なることがない。
【０１７１】
したがって、上記通信部でデータを取得した場合であっても、上記他の表示領域においては、映像データの表示を容易に視ることができる。
【０１７２】
また、映像データの表示を中断して、上記通信部で取得したデータのみを表示する場合には、上記映像データを表示していた表示領域（つまり、全表示領域）に上記通信部で取得したデータを表示することができる。したがって、表示領域を大きくとることができ、上記通信部で取得したデータの表示の確認が容易となる。
【０１７３】
さらに、上記実施の形態では、ＴＶ映像データとメールデータとを同時に表示する場合には、両データを同時表示していなければ第２表示領域８ｂに表示されるＴＶ映像データについては表示されていない。それゆえ、ユーザは第２表示領域８ｂに表示される画像を視ることはできない。
【０１７４】
そこで、図１０に示すように、ＴＶ映像データに基づき表示される画面を縮小して、第１表示領域８ａにＴＶ映像データを漏れなく表示する構成としてもよい。これにより、ユーザは、ＴＶ映像データに基づく表示情報を、漏れなく全て確認できる。
【０１７５】
また、メールデータと映像データとを同時に表示する際には、メールデータを表示画面８全体に表示すると共に、ＴＶ映像データも表示画面８全体に表示する構成としてもよい。つまり、表示画面８の全領域（第１表示領域８ａおよび第２表示領域８ｂ）に、ＴＶ映像データとメールデータとを重ねて表示してもよい。
【０１７６】
さらに、上記実施の形態においては、上記第４の場合（つまり、ＴＶ映像データを受信している際に、電子メール自動表示設定のモードで電子メールデータ受信した後、ＴＶ映像データの表示画面８への表示を中断して、電子メールのみを表示画面８に表示させる場合）には、図６および図５に示すとおり、同じ表示項目（題名）の一部（所定の部分）が重複して表示されている。しかしながら、これに限定されず、図６から図５の表示画面に切換える際に、上記所定の部分の表示を省略してもよい。
【０１７７】
この場合、携帯電話機は、上記表示部３２に同時に表示するデータは、上記通信部で取得したデータの所定の部分と、前記映像データとであって、上記表示領域設定部３は、上記第１の操作により、少なくとも映像データを表示していた表示領域に、上記通信部で取得したデータのうち、上記所定の部分以外の部分を表示する構成といえる。
【０１７８】
上記の構成によれば、少なくとも映像データを表示していた表示領域には、上記通信部で取得したデータのうち、上記所定の部分以外の部分が表示される。
【０１７９】
このため、少なくとも前記映像データを表示していた表示領域に、第１の操作を行う以前に表示されていた所定の部分の情報を、再度表示しなくて済む。
【０１８０】
したがって、所定の部分の情報の重複表示をなくすことにより、表示領域を有効に活用することが可能となる。
【０１８１】
〔実施の形態２〕
本発明の他の実施形態について図１１ないし図１７に基づいて説明すると以下のとおりである。なお、説明の便宜上、上記実施の形態１の図面に示した部材と同一の機能を有する部材については、同一の符号を付し、その説明を省略する。
【０１８２】
図１１は、本実施の形態に係る携帯端末装置のハードウェアによって実現される機能ブロック図である。
【０１８３】
上記携帯端末装置（電子機器）は、同図に示すように、主制御手段としてのＣＰＵ１１と、このＣＰＵ１１によって制御される無線通信部１２、チューナ１３、ＯＦＤＭ復調部１４、テレビ受信状態検知部１５、デコーダ１６、記憶部１７、ＲＡＭ１８、ＲＯＭ１９、操作部２０、画像処理部２１、カメラ制御部２２、音声処理部２３を備えている。
【０１８４】
また、上記無線通信部１２には通信用アンテナ部２４が接続され、上記チューナ１３にはＴＶ用アンテナ部２５が接続され、上記画像処理部２１には表示制御部２６が接続され、上記カメラ制御部２２にはカメラ部２７が接続され、上記音声処理部２３にはスピーカ部２８、イヤホン端子２９、送話マイク３０、マイク端子３１が接続されている。さらに、上記表示制御部２６には、第１表示部３２と第２表示部３３とが接続されている。
【０１８５】
つまり、本実施の形態の携帯端末装置は、第１表示部３２と第２表示部３３との２つの表示部を備える点において、１つの表示部しか備えない実施の形態１の携帯端末装置と異なる。なお、本実施の形態では、第１表示部３２は、実施の形態１の表示部３２と同一のものである。つまり、本実施の形態では、説明の便宜上、表示部の名称を変更して記載している。
【０１８６】
なお、第１表示部３２が、特許請求の範囲に記載の第１表示手段に該当する。また、第２表示部３３が、特許請求の範囲に記載の第２表示手段に該当する。
【０１８７】
以下では、上記実施の形態１と同様、携帯端末装置として携帯電話機を例に挙げて説明する。
【０１８８】
図１２は、携帯電話機５１を正面側（操作側）から見た図を示している。携帯電話機５１は、同図に示すように、通信用アンテナ部２４およびＴＶ用アンテナ部２５を備えている。また、上記携帯電話機５１には、第１表示部３２、第２表示部３３、イヤホン端子２９、操作部２０、送話マイク３０、および、上記スピーカ部２８として通話用スピーカ部２８ａとＴＶ用スピーカ部２８ｂとを備えている。また、図示していないが、携帯電話機５１の背面には、カメラ部２７が備えられている。
【０１８９】
上記第２表示部３３は、第１表示部３２と同様、表示制御部２６により表示内容が制御される。
【０１９０】
次に、第１表示部３２および第２表示部３３における表示内容について、図１３〜図１７に基づいて説明する。
【０１９１】
図１３は、携帯電話機５１における制御を主体とした機能ブロック図である。
【０１９２】
上記携帯電話機５１は、ＴＶ映像表示制御部２、表示先設定部（表示先設定手段）５３、メール送受信制御部４、メモリ５、メール表示制御部６、表示データ切換制御部（表示切換手段）７、および、第１表示画面５８、および、第２表示画面５９を備えている。
【０１９３】
また、表示先設定部５３は、ＴＶ映像表示先設定部５３ａとメール表示先設定部５３ｂとから構成されている。ここで、第１表示画面５８は、図２に示した第１表示部３２の表示画面であり、第２表示画面５９は、同図に示した第２表示部３３の表示画面である。
【０１９４】
つまり、本実施の形態では、上記実施の形態１における表示領域設定部３の代わりに表示先設定部５３が設けられ、実施の形態１における表示画面８の代わりに第１表示画面５８および第２表示画面５９が設けられている。
【０１９５】
より詳しくは、実施の形態１におけるＴＶ映像表示領域設定部３ａおよびメール表示領域設定部３ｂの代わりに、それぞれ、ＴＶ映像表示先設定部５３ａおよびメール表示先設定部５３ｂが備えられている。
【０１９６】
なお、本発明の特徴となる、ＴＶ映像表示先設定部５３ａおよびメール表示先設定部５３ｂにおける表示先設定については、後述する。
【０１９７】
以下では、ＴＶ映像データのみを受信している場合（以下、第１の場合と称する）、メールデータのみを受信している場合であって、電子メール自動表示設定のモードの場合（以下、第２の場合と称する）、ＴＶ映像データを受信している際に、電子メール自動表示設定のモードで電子メールデータを受信した場合（以下、第３の場合と称する）、および、第３の場合において、ＴＶ映像データと電子メールデータとの表示先を変更する場合（以下、第４の場合と称する）に分けて、上記各場合に関連するブロックの機能の説明を行う。
【０１９８】
まず、上記第１の場合について説明をする。
【０１９９】
上記ＴＶ映像表示制御部２は、上記実施の形態１で述べたように、上記ＣＰＵ１１の制御の下、ＴＶ用アンテナ部２５、チューナ１３、ＯＦＤＭ復調部１４、デコーダ１６、および、画像処理部２１を介して、ＴＶ映像データを受信する。そして、ＴＶ映像表示制御部２は、この受信したＴＶ映像データをＴＶ映像表示先設定部５３ａに送信する。
【０２００】
そして、上記ＴＶ映像表示先設定部５３ａは、ＴＶ映像表示制御部２から受信したＴＶ映像データを、第１表示画面５８に表示する。以上により、図１４に示すとおり、ＴＶ映像データが、第１表示画面５８に表示されることとなる。
【０２０１】
次に、上記第２の場合について説明する。
【０２０２】
携帯電話機５１がメールを受信すると、上記メール送受信制御部４は、通信用アンテナ部２４、無線通信部１２、および、画像処理部２１を介して、メールデータを受信する。そして、メール送受信制御部４は、メモリ５に受信したメールデータを記憶させる。さらに、メール送受信制御部４は、メール表示制御部６に対して、メールデータを受信したというメール受信情報を通知する。
【０２０３】
上記メール表示制御部６は、メール送受信制御部４から上記メール受信情報の通知があった場合、メール表示先設定部５３ｂに対して、表示領域を第１表示画面５８とするように指示を送る。また、メール表示制御部６は、メモリ５に記憶されたメールデータを読み出し、この読み出したメールデータをメール表示先設定部５３ｂに送信する。
【０２０４】
そして、上記メール表示領域設定部３ｂは、メール表示制御部６から送信されたメールデータを、表示画面８全体に表示する。以上により、図１５に示すとおり、メールデータが、第１表示画面５８に表示されることとなる。
【０２０５】
次に、本発明の特徴となる上記第３の場合について説明する。
【０２０６】
なお、電子メールデータを受信するまでは、上記第１の場合に説明したように、ＴＶ映像データが表示画面８全体に表示されている。
【０２０７】
上記携帯電話機５１がメールを受信すると、メール送受信制御部４は、通信用アンテナ部２４、無線通信部１２、および、画像処理部２１を介して、メールデータを受信する。そして、メール送受信制御部４は、メモリ５に受信したメールデータを記憶させる。さらに、メール送受信制御部４は、メール表示制御部６に対して、メールデータを受信したというメール受信情報を通知する。
【０２０８】
上記メール表示制御部６は、メール送受信制御部４から上記メール受信情報の通知があった場合であって、かつ、ＴＶ映像表示制御部２からＴＶ映像データを受信中との通知を受信している場合には、メール表示先設定部５３ｂに対して、メールデータの表示画面を第２表示画面５９に設定するように指示（以下、第１の指示と称する）を出す。そして、上記メール表示先設定部５３ｂは、第１の指示を受けた後、メールデータの表示画面を第２表示画面５９に設定する。
【０２０９】
また、メール表示制御部６は、メモリ５に記憶されたメールデータを読み出し、この読み出したメールデータをメール表示先設定部５３ｂに送信する。ここで、メール表示制御部６が読み出すメールデータは、少なくともメールデータの所定の箇所（例えば題名（Ｓｕｂｊｅｃｔ）を含んだ部分）であって、第２表示画面５９で表示可能な部分とする。
【０２１０】
そして、上記メール表示先設定部５３ｂは、メール表示制御部６から送信されたメールデータを、第２表示画面５９に表示させる。
【０２１１】
以上により、図１６に示すとおり、第１表示画面５８にＴＶ映像データが、第２表示画面５９にメールデータの一部が表示される。
【０２１２】
なお、メールデータの表示項目の切換については、実施の形態１と同様であるため、説明を省略する。
【０２１３】
次に、上記第４の場合について説明する。
【０２１４】
まず、ユーザが操作部２０から、ＴＶ映像データとメールデータとの表示先の変更についての指示（第２の指示）を入力する。具体的には、ＴＶ映像データを第２表示画面５９に、メールデータを第１表示画面５８に表示するよう指示を入力する。
【０２１５】
この第２の指示は、表示データ切換制御部７に送信される。上記第２の指示を受信した表示データ切換制御部７は、まず、ＴＶ映像表示制御部２に対して、ＴＶ映像データを第２表示画面５９に表示するよう指示（第３の指示）を出す。さらに、表示データ切換制御部７は、メール表示制御部６に対して、メールデータを第１表示画面５８に表示するように指示（第４の指示）を出す。
【０２１６】
ＴＶ映像表示制御部２は、上記第３の指示を受けると、ＴＶ映像表示先設定部５３ａに対して、ＴＶ映像データの表示画面を第１表示画面５８から第２表示画面５９に変更するよう指示（第５の指示）を出す。そして、ＴＶ映像表示先設定部５３ａは、上記第５の指示を受けると、ＴＶ映像データの表示画面を第２表示画面５９に設定（変更）する。
【０２１７】
メール表示制御部６は、上記第４の指示を受けると、まず、メール表示先設定部５３ｂに対して、メールデータの表示画面を第２表示画面５９から第１表示画面５８に変更するよう指示（第６の指示）を出す。そして、メール表示先設定部５３ｂは、上記第６の指示を受けると、メールデータの表示画面を第１表示画面５８に設定（変更）する。
【０２１８】
また、メール表示制御部６は、上記第４の指示を受けると、メモリ５からメールデータを読み出す。そして、メール表示制御部６は、上記メモリ５から読み出したメールデータを、メール表示先設定部５３ｂに送信する。その後、メール表示先設定部５３ｂは、メール表示制御部６から受信したメールデータを、第１表示画面５８に表示させる。
【０２１９】
一方、ＴＶ映像表示制御部２は、上記第５の指示を出した後、ＴＶ映像表示先設定部５３ａに対して、ＴＶ映像データを送信する。そして、ＴＶ映像表示先設定部５３ａは、ＴＶ映像表示制御部２から受信したＴＶ映像データを、第２表示画面５９に表示する。
【０２２０】
以上の結果、ＴＶ映像データが第２表示画面５９に、メールデータが第１表示画面５８に表示されることとなる。
【０２２１】
図１７は、上記携帯電話機５１におけるデータ処理のフローを示したフローチャートである。より具体的には、上記第３の場合および第４の場合の処理を示したフローチャートである。以下、このフローチャートに示した処理について説明する。
【０２２２】
まず、携帯電話機５１は、ＴＶ映像データを、ＴＶ用アンテナ部２５を介して受信する（Ｓ１１）。その後、上述したように、ＴＶ映像データに基づくＴＶ映像が、第１表示部３２の第１表示画面５８に表示される（Ｓ１２）。具体的には、ＴＶ映像表示制御部２を介してＴＶ映像データを受信したＴＶ映像表示先設定部５３ａが、上記ＴＶ映像データに基づくＴＶ映像を第１表示画面５８に表示する。
【０２２３】
Ｓ１２の後は、メール表示制御部６により、メールデータを受信したか否かが判断される（Ｓ１３）。Ｓ１３においてメールを受信していないと判断された場合には、Ｓ１２に戻り、第１表示画面５８にＴＶ映像の表示が継続される。一方、Ｓ１３においてメールを受信したと判断された場合には、メール表示制御部６からの指示によりＴＶ映像表示先設定部５３ａが、第１表示画面５８にＴＶ映像を表示すると共に、メール表示制御部６からの指示によりメール表示先設定部５３ｂが、第２表示画面５９にメールを表示する（Ｓ１４）。
【０２２４】
Ｓ１４の後は、表示データ切換制御部７により、第３の画面切換操作がなされたか否かが判断される（Ｓ１５）。ここで、第３の画面切換操作（第３の操作）とは、ＴＶ映像の表示先（表示画面）と、メールの表示先（表示画面）とを切換える操作を指している。なお、この第３の画面切換操作は、ユーザが操作部２０に対して行う操作である。
【０２２５】
そして、Ｓ１５において上記第３の画面切換操作がなされていない場合には、Ｓ１４に戻り、第１表示画面５８にＴＶ映像を表示すると共に、第２表示画面５９にメールを表示したままの状態を継続する。一方、Ｓ１５において上記第３の画面切換操作がなされた場合には、表示データ切換制御部７からの指示に基づき、ＴＶ映像表示先設定部５３ａが第２表示画面５９にＴＶ映像を表示すると共に、メール表示先設定部５３ｂが第１表示画面５８にメールを表示する（Ｓ１６）。
【０２２６】
以上により、上記第３の場合および第４の場合の処理が終了する。
【０２２７】
ところで、上記各実施の形態においては、通信用アンテナ部２４を介して電子メールデータを受信する例を挙げたが、これに限定されるものではない。例えば、電子メールデータ以外に、テキストデータ、図形データ、ＧＩＦまたはＪＰＥＧ形式の画像データ、および、マークアップ言語で示されたデータ（例えばＨＴＭＬまたはＸＭＬフォーマット形式のデータ）等のブラウザで表示するためのデータが挙げられる。
【０２２８】
つまり、上記各実施形態では、無線通信部１２および通信用アンテナ部２４（通信手段）で取得したデータとして電子メールデータを例に挙げ、この電子メールデータを処理する例を挙げたが、代わりに、例えばマークアップ言語を取得して、該データを処理可能な構成としてもよい。
【０２２９】
また、映像データとして、ＴＶ映像データを例に挙げて説明したが、これに限定されるものではない。例えば、上記の「（３）ビデオ録画／再生機能」における記載に示したように、ビデオデータであってもよい。
【０２３０】
さらに、上記実施の形態１および２における携帯電話機（１・５１）の各機能ブロック（特に、ＴＶ映像表示制御部２、表示領域設定部３、メール送受信制御部４、メール表示制御部６、表示データ切換制御部７、および、表示先設定部５３）は、ハードウェアロジックによって構成してもよいし、次のようにＣＰＵを用いてソフトウェアによって実現してもよい。
【０２３１】
すなわち、携帯電話機（１・５１）は、各機能を実現する制御プログラムの命令を実行するＣＰＵ１１、上記プログラムを格納したＲＯＭ１９、上記プログラムを展開するＲＡＭ１８、上記プログラムおよび各種データを格納するメモリ等の記憶装置（記録媒体、記憶部１７）などを備えている。そして、本発明の目的は、上述した機能を実現するソフトウェアである携帯電話機（１・５１）の制御プログラムのプログラムコード（実行形式プログラム、中間コードプログラム、ソースプログラム）をコンピュータで読み取り可能に記録した記録媒体を、上記携帯電話機（１・５１）に供給し、そのコンピュータ（またはＣＰＵやＭＰＵ）が記録媒体に記録されているプログラムコードを読み出し実行することによっても、達成可能である。
【０２３２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３３】
また、携帯電話機（１・５１）を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０２３４】
また、上記では、電子機器の一例として、携帯電話機を例に挙げて説明した。しかしながら、携帯電話機に限定されるものではなく、通信機能を備えていれば、ＰＤＡ端末等の携帯型装置、更には様々な電子機器に適用可能である。また、通信機能を備えた通信装置を接続した電子機器にも適用可能である。
【産業上の利用可能性】
【０２３５】
本発明は、電子メール等のデータ受信機能とＴＶ放送等の映像データ受信機能と複合化した電子機器に好適に用いることができる。特に携帯電話機やＰＤＡ等のように表示領域が比較的小さい携帯型の機器により好適に用いることができる。
【図面の簡単な説明】
【０２３６】
【図１】本発明の実施の形態に係る電子機器としての携帯端末装置の具体例である携帯電話機における制御を主体とした機能ブロック図である。
【図２】上記携帯端末装置のハードウェアによって実現される機能ブロック図である。
【図３】上記携帯電話機の正面図である。
【図４】上記携帯電話機の表示画面に、ＴＶ映像を表示した状態を示した図である。
【図５】上記携帯電話機の表示画面に、電子メールを表示した状態を示した図である。
【図６】上記携帯電話機の表示画面に、ＴＶ映像と電子メールとを表示した状態を示した図である。
【図７】上記表示画面の所定の領域に表示される表示内容についての状態の遷移を示した状態遷移図である。
【図８】上記携帯電話機におけるデータ処理のフローを示したフローチャートである。
【図９】上記携帯電話機の表示画面に、ＴＶ映像と電子メールとを表示した他の状態を示した図である。
【図１０】上記携帯電話機の表示画面に、ＴＶ映像と電子メールとを表示した更に他の状態を示した図である。
【図１１】他の携帯端末装置のハードウェアによって実現される機能ブロック図である。
【図１２】上記他の携帯端末装置の具体例である携帯電話機の正面図である。
【図１３】上記他の携帯電話機における制御を主体とした機能ブロック図である。
【図１４】上記他の携帯電話機の第１表示画面に、ＴＶ映像を表示した状態を示した図である。
【図１５】上記他の携帯電話機の第１表示画面に、電子メールを表示した状態を示した図である。
【図１６】上記他の携帯電話機の第１表示画面にＴＶ映像を、第２表示画面に電子メールを表示した状態を示した図である。
【図１７】上記他の携帯電話機におけるデータ処理のフローを示したフローチャートである。
【符号の説明】
【０２３７】
１・５１  携帯電話機（電子機器）
２  ＴＶ映像表示制御部（映像データ表示中断手段・映像データ表示再開手段）
３  表示領域設定部（表示領域設定手段）
３ａ  ＴＶ映像表示領域設定部
３ｂ  メール表示領域設定部
４  メール送受信制御部（データ表示中止手段）
５  メモリ
６  メール表示制御部（表示制御手段）
７  表示データ切換制御部
８  表示画面
８ａ  第１表示領域
８ｂ  第２表示領域
１２  無線通信部
１６  デコーダ
１７  記憶部（記憶手段）
１８  ＲＡＭ
１９  ＲＯＭ
２０  操作部（操作手段）
２１  画像処理部
２４  通信用アンテナ部
２６  表示制御部
３２  表示部（表示手段）・第１表示部（第１表示手段）
３３  第２表示部（第２表示手段）
５３  表示先設定部（表示先設定手段）
５３ａ  ＴＶ映像表示先設定部
５３ｂ  メール表示先設定部
５８  第１表示画面
５９  第２表示画面
【図１】
2005217523.tif 000003
【図２】
2005217523.tif 000004
【図３】
2005217523.tif 000005
【図４】
2005217523.tif 000006
【図５】
2005217523.tif 000007
【図６】
2005217523.tif 000008
【図７】
2005217523.tif 000009
【図８】
2005217523.tif 000010
【図９】
2005217523.tif 000011
【図１０】
2005217523.tif 000012
【図１１】
2005217523.tif 000013
【図１２】
2005217523.tif 000014
【図１３】
2005217523.tif 000015
【図１４】
2005217523.tif 000016
【図１５】
2005217523.tif 000017
【図１６】
2005217523.tif 000018
【図１７】
2005217523.tif 000019